(57)【要約】【課題】自発光体を点灯する画像表示部において、消費電力を抑制できる表示装置及び色変換方法を提供する。【解決手段】表示装置は、画像表示部と、入力映像信号に基づいて求められる、所定の画素に表示するための第１色情報が第１入力信号として入力され、当該第１色情報の色相を、色相変化が所定範囲に制限されるように定義された範囲の色相変化量で色相を変化させた第２色情報の第２入力信号として出力する変換処理部を含む。【選択図】図１
2015109639.tif 000002
【特許請求の範囲】
【請求項１】
赤成分を自発光体の点灯量に応じて表示するための第１副画素と、
緑成分を自発光体の点灯量に応じて表示するための第２副画素と、
青成分を自発光体の点灯量に応じて表示するための第３副画素と、
を含む画素を複数有する画像表示部と、
入力映像信号に基づいて求められる、所定の画素に表示するための第１色情報が第１入力信号として入力され、当該第１色情報の色相を、色相変化が所定範囲に制限されるように定義された範囲の色相変化量で色相を変化させた第２色情報の第２入力信号として出力する変換処理部と、
を含む表示装置。
【請求項２】
前記画像表示部は、前記第１副画素、前記第２副画素及び前記第３副画素とは異なる追加色成分を前記第１副画素、前記第２副画素及び前記第３副画素で表現するよりも輝度又は前記追加色成分を表示する電力効率が高く、前記追加色成分を自発光体の点灯量に応じて表示する第４副画素、をさらに含み、
前記第２入力信号における第２色情報に基づいて、前記赤成分、前記緑成分、前記青成分及び前記追加色成分に変換した第３色情報を含む第３入力信号を、前記画像表示部の駆動を制御する駆動回路へ出力する第４副画素信号処理部、を含む請求項１に記載の表示装置。
【請求項３】
前記第２色情報の色相は、前記第１色情報の色相よりも輝度が高い色方向又は電力に置き換えた場合に低い方向に寄っている、請求項１又は請求項２に記載の表示装置。
【請求項４】
前記変換処理部は、前記第１色情報の輝度と、前記第２色情報の輝度とが変化しないように色相を変化する演算を行う、請求項３に記載の表示装置。
【請求項５】
前記第２色情報の色相は、前記第１色情報の色相よりも白成分が多い色方向に寄っている、請求項１乃至請求項４のいずれか１項に記載の表示装置。
【請求項６】
前記第２色情報の色相は、前記第１色情報の色相よりも、前記第１副画素、前記第２副画素及び前記第３副画素の自発光体の点灯数が低減する方向側に前記第１副画素、前記第２副画素及び前記第３副画素の少なくとも１つの自発光体の点灯量が低減するように変換されている、請求項１乃至請求項５のいずれか１項に記載の表示装置。
【請求項７】
前記第２色情報の色相は、前記第１色情報の色相よりも、前記第１副画素、前記第２副画素及び前記第３副画素の自発光体の点灯量を加算した総量が低減する方向に寄っている、請求項６に記載の表示装置。
【請求項８】
前記変換処理部は、前記第１色情報を前記赤成分、前記緑成分、前記青成分及び前記追加色成分に変換した場合の自発光体の点灯量の総量が、前記第２色情報を前記赤成分、前記緑成分、前記青成分及び前記追加色成分に変換した場合の自発光体の点灯量の総量よりも小さい場合、前記第１色情報を前記第２色情報として前記第４副画素信号処理部へ出力する、請求項２又は請求項３に記載の表示装置。
【請求項９】
前記変換処理部は、前記第２色情報の色相に応じて彩度減衰量を異ならせるように彩度を低減する演算を行う、請求項１乃至請求項４のいずれか１項に記載の表示装置。
【請求項１０】
前記入力映像信号を画像解析して全画素に表示するための第１色情報に色相の偏りがある場合、所定の画素に表示するための第１色情報に前記色相の偏りの重心に基づく補正量を加えてから前記第２色情報に変換する、請求項１乃至請求項９のいずれか１項に記載の表示装置。
【請求項１１】
前記第１副画素、前記第２副画素、前記第３副画素及び前記第４副画素を点灯する自発光体が点灯する色成分は、前記追加色成分を主成分とし、前記第１副画素、前記第２副画素及び前記第３副画素のそれぞれは、前記追加色成分を前記赤成分、前記緑成分、前記青成分へ変換するための色変換層を有している、請求項１乃至請求項１０のいずれか１項に記載の表示装置。
【請求項１２】
赤成分を自発光体の点灯量に応じて表示するための第１副画素と、
緑成分を自発光体の点灯量に応じて表示するための第２副画素と、
青成分を自発光体の点灯量に応じて表示するための第３副画素と、
を含む画素を複数有する画像表示部の駆動回路へ信号を供給する入力信号変換処理方法であって、
入力映像信号に基づいて求められる、所定の画素に表示するための第１色情報が第１入力信号として入力され、当該第１色情報の色相を、色相変化が所定範囲に制限されるように定義された範囲の色相変化量で色相を変化させた第２色情報の第２入力信号として出力する色変換処理ステップを含む、色変換方法。
【発明の詳細な説明】
【技術分野】
【０００１】
本発明は、表示装置及び色変換方法に関する。
【背景技術】
【０００２】
従来から、画素Ｒ（赤）、Ｇ（緑）及びＢ（青）に加え、画素Ｗ（白）を追加したＲＧＢＷ方式の液晶パネルを用いた液晶表示装置が採用されている。このＲＧＢＷ方式の液晶表示装置は、画像表示を決定付けるＲＧＢデータに基づくバックライトからの光の画素Ｒ、Ｇ及びＢにおける透過量を、画素Ｗに振り分けて画像を表示させることによって、バックライトの輝度を低減させることを可能とし、消費電力を低減している。
【０００３】
また液晶表示装置以外にも、有機発光ダイオード（ＯＬＥＤ）のような自発光体を点灯する画像表示パネルが知られている。例えば特許文献１には、４色カラー出力信号に対応する光を放射する発光体を有する表示装置を駆動するために、３色の色域画定原色に対応する３色カラー入力信号（Ｒ，Ｇ，Ｂ）を該色域画定原色と１つの追加原色Ｗとに対応する４色のカラー出力信号（Ｒ’，Ｇ’，Ｂ’，Ｗ）に変換するための方法が記載されている。
【先行技術文献】
【特許文献】
【０００４】
【特許文献１】特表２００７−５１４１８４号公報
【発明の概要】
【発明が解決しようとする課題】
【０００５】
自発光体を点灯する画像表示パネルを備える表示装置は、バックライトが不要であり、各画素の自発光体の点灯量に応じて、表示装置の電力量が決まってしまう。このため、特許文献１に記載の方法によって単純に変換処理した場合、４色のカラー出力信号（Ｒ’，Ｇ’，Ｂ’，Ｗ）を点灯する自発光体の点灯量が多ければ、消費電力を低減できない場合がある。
【０００６】
本発明は、自発光体を点灯する画像表示部において、消費電力を抑制できる表示装置及び色変換方法を提供することを目的とする。
【課題を解決するための手段】
【０００７】
一態様として、表示装置は、赤成分を自発光体の点灯量に応じて表示するための第１副画素と、緑成分を自発光体の点灯量に応じて表示するための第２副画素と、青成分を自発光体の点灯量に応じて表示するための第３副画素と、を含む画素を複数有する画像表示部と、入力映像信号に基づいて求められる、所定の画素に表示するための第１色情報が第１入力信号として入力され、当該第１色情報の色相を、色相変化が所定範囲に制限されるように定義された範囲の色相変化量で色相を変化させた第２色情報の第２入力信号として出力する変換処理部と、を含む。
【０００８】
他の態様として、色変換方法は、赤成分を自発光体の点灯量に応じて表示するための第１副画素と、緑成分を自発光体の点灯量に応じて表示するための第２副画素と、青成分を自発光体の点灯量に応じて表示するための第３副画素と、を含む画素を複数有する画像表示部の駆動回路へ信号を供給する入力信号変換処理方法であって、入力映像信号に基づいて求められる、所定の画素に表示するための第１色情報が第１入力信号として入力され、当該第１色情報の色相を、色相変化が所定範囲に制限されるように定義された範囲の色相変化量で色相を変化させた第２色情報の第２入力信号として出力する色変換処理ステップを含む。
【図面の簡単な説明】
【０００９】
【図１】図１は、本実施形態に係る表示装置の構成の一例を示すブロック図である。
【図２】図２は、本実施形態に係る画像表示部の画素が含む副画素の点灯駆動回路を示す図である。
【図３】図３は、本実施形態に係る画像表示部の副画素の配列を示す図である。
【図４】図４は、本実施形態に係る画像表示部の断面構造を示す図である。
【図５】図５は、本実施形態に係る画像表示部の副画素の他の配列を示す図である。
【図６】図６は、本実施形態の表示装置で再現可能なＨＳＶ色空間の概念図である。
【図７】図７は、ＨＳＶ色空間の色相と彩度との関係を示す概念図である。
【図８】図８は、実施形態１に係るＨＳＶ色空間において色相変換処理を示す概念図である。
【図９】図９は、実施形態１に係る変換前の元の色相と色相変化を許容する範囲と定義された色相変化量との関係を示すルックアップテーブルを説明するための説明図である。
【図１０】図１０は、実施形態１に係る色変換処理例を説明する模式図である。
【図１１】図１１は、実施形態１に係る色変換方法を説明するためのフローチャートである。
【図１２】図１２は、実施形態１に係る色変換処理例を説明する模式図である。
【図１３】図１３は、実施形態１に係る色変換処理例を説明する模式図である。
【図１４】図１４は、実施形態１に係る色変換処理例を説明する模式図である。
【図１５】図１５は、本実施形態に係る色相と、彩度変化が許容される範囲として定義された所定範囲の彩度減衰量との関係を示すルックアップテーブルを説明するための説明図である。
【図１６】図１６は、本実施形態に係る変換前の元の彩度と彩度変化が許容される範囲として定義された所定範囲の彩度減衰量との関係を示すルックアップテーブルを説明するための説明図である。
【図１７】図１７は、本実施形態に係るＨＳＶ色空間において彩度減衰量を示す概念図である。
【図１８】図１８は、実施形態２に係る色変換処理例を説明する模式図である。
【図１９】図１９は、比較例に係る色変換処理例を説明する模式図である。
【図２０】図２０は、実施形態２に係る色変換方法を説明するためのフローチャートである。
【図２１】図２１は、実施形態２の変形例１に係る色変換処理例をＸＹＺ表色系のｘｙ色度範囲上で説明するための説明図である。
【図２２】図２２は、実施形態２２の変形例１に係る色変換処理例の他の例をＸＹＺ表色系のｘｙ色度範囲上で説明するための説明図である。
【図２３】図２３は、実施形態３に係る色変換方法を説明するためのフローチャートである。
【図２４】図２４は、本実施形態に係る表示装置を適用する電子機器の一例を示す図である。
【図２５】図２５は、本実施形態に係る表示装置を適用する電子機器の一例を示す図である。
【図２６】図２６は、本実施形態に係る表示装置を適用する電子機器の一例を示す図である。
【図２７】図２７は、本実施形態に係る表示装置を適用する電子機器の一例を示す図である。
【図２８】図２８は、本実施形態に係る表示装置を適用する電子機器の一例を示す図である。
【図２９】図２９は、本実施形態に係る表示装置を適用する電子機器の一例を示す図である。
【図３０】図３０は、本実施形態に係る表示装置を適用する電子機器の一例を示す図である。
【図３１】図３１は、本実施形態に係る表示装置を適用する電子機器の一例を示す図である。
【図３２】図３２は、本実施形態に係る表示装置を適用する電子機器の一例を示す図である。
【発明を実施するための形態】
【００１０】
以下、発明を実施するための形態について、図面を参照して詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１１】
（表示装置の構成）
図１は、本実施形態に係る表示装置の構成の一例を示すブロック図である。図２は、本実施形態に係る画像表示部の画素が含む副画素の点灯駆動回路を示す図である。図３は、本実施形態に係る画像表示部の副画素の配列を示す図である。図４は、本実施形態に係る画像表示部の断面構造を示す図である。
【００１２】
図１に示すように、表示装置１００は、変換処理部１０と、第４副画素信号処理部２０と、画像表示パネルである画像表示部３０と、画像表示部３０の駆動を制御する画像表示パネル駆動回路４０（以下、駆動回路４０ともいう。）と、を備えている。変換処理部１０と、第４副画素信号処理部２０とは、ハードウェア又はソフトウェアのいずれかによって機能が実現されていればよく、特に限定されるものではない。また、変換処理部１０及び第４副画素信号処理部２０の各回路がハードウェアによって構成されるものであっても、それぞれの回路が物理的に独立して区別される必要はなく、物理的に単一の回路によって複数の機能が実現されるものとしてもよい。
【００１３】
変換処理部１０は、制御装置１１の画像出力部１２からの入力映像信号に基づいて求められる、所定の画素に表示するための第１色情報を第１入力信号ＳＲＧＢ１として入力される。変換処理部１０は、ＨＳＶ色空間の入力値である第１色情報を、彩度変化が許容される範囲の彩度減衰量で彩度が低減された第２色情報に変換した第２入力信号ＳＲＧＢ２を出力する。第１色情報及び第２色情報は、ともに赤成分（Ｒ）、緑成分（Ｇ）、青成分（Ｂ）を含む３色のカラー入力信号（Ｒ、Ｇ、Ｂ）である。
【００１４】
第４副画素信号処理部２０は、画像表示部３０を駆動するための画像表示パネル駆動回路４０と接続されている。例えば、第４副画素信号処理部２０は、入力信号の入力ＨＳＶ色空間の入力値（第２入力信号ＳＲＧＢ２）を、第１の色、第２の色、第３の色及び第４の色で再現されるＨＳＶ色空間の再現値（第３入力信号ＳＲＧＢＷ）に変換して生成し、生成した出力信号を画像表示部３０に出力する。このように、第４副画素信号処理部２０は、第２入力信号ＳＲＧＢ２における第２色情報に基づいて、赤成分（Ｒ）、緑成分（Ｇ）、青成分（Ｂ）及び追加色成分として例えば白色（Ｗ）成分に変換した第３色情報を含む第３入力信号ＳＲＧＢＷを、駆動回路４０へ出力する。第３色情報は、４色カラー入力信号（Ｒ、Ｇ、Ｂ、Ｗ）である。追加色成分は、赤成分（Ｒ）、緑成分（Ｇ）、青成分（Ｂ）の各階調が２５６階調で（Ｒ、Ｇ、Ｂ）＝（２５５、２５５、２５５）のいわゆるピュアホワイトの白成分を例として説明するが、これに限られず、例えば、（Ｒ、Ｇ、Ｂ）＝（２５５、２３０、２０４）で表されるような色成分をもつ第４副画素として追加色成分の変換を行うものであってもよい。
【００１５】
なお、本実施形態では、上述したように変換処理は入力信号（例えばＲＧＢ）をＨＳＶ空間に変換した処理について例示して説明しているが、これに限らず、ＸＹＺ空間、ＹＵＶ空間その他の座標系でもよい。また、ディスプレイの色域であるｓＲＧＢやＡｄｏｂｅ（登録商標）ＲＧＢの色域は、ＸＹＺ表色系のｘｙ色度範囲上において、三角形状の範囲で示されるが、定義色域が定義される所定の色空間は、三角形状の範囲で定められることに限定されるものではなく、多角形状等の任意の形状の範囲で定められるものとしてもよい。
【００１６】
第４副画素信号処理部２０は、生成した出力信号を画像表示パネル駆動回路４０に出力する。駆動回路４０は、画像表示部３０の制御装置であって、信号出力回路４１、走査回路４２及び電源回路４３を備えている。画像表示部３０の駆動回路４０は、信号出力回路４１によって、第３色情報を含む第３入力信号ＳＲＧＢＷを保持し、順次、画像表示部３０の各画素３１に出力する。信号出力回路４１は、信号線ＤＴＬによって画像表示部３０と電気的に接続されている。画像表示部３０の駆動回路４０は、走査回路４２によって、画像表示部３０における副画素を選択し、副画素の動作（光透過率）を制御するためのスイッチング素子（例えば、薄膜トランジスタ（ＴＦＴ；Thin  Film  Transistor））のオン及びオフを制御する。走査回路４２は、走査線ＳＣＬによって画像表示部３０と電気的に接続されている。電源回路４３は、電源線ＰＣＬによって各画素３１の後述する自発光体へ電力を供給する。
【００１７】
なお、表示装置１００は、特許文献の、特許第３１６７０２６号公報、特許第３８０５１５０号公報、特許第４８７０３５８号公報、特開２０１１−９０１１８号公報、特開２００６−３４７５号公報に記載されている各種変形例が適用可能である。
【００１８】
図１に示すように、画像表示部３０は、画素３１が、Ｐ０×Ｑ０個（行方向にＰ０個、列方向にＱ０個）、２次元のマトリクス状（行列状）に配列されている。
【００１９】
画素３１は、複数の副画素３２を含み、図２に示す副画素３２の点灯駆動回路が２次元のマトリクス状（行列状）に配列されている。点灯駆動回路は、制御用トランジスタＴｒ１と、駆動用トランジスタＴｒ２と、電荷保持用コンデンサＣ１とを含む。制御用トランジスタＴｒ１のゲートが走査線ＳＣＬに接続され、ソースが信号線ＤＴＬに接続され、ドレインが駆動用トランジスタＴｒ２のゲートに接続されている。電荷保持用コンデンサＣ１の一端が駆動用トランジスタＴｒ２のゲートに接続され、他端が駆動用トランジスタＴｒ２のソースに接続されている。駆動用トランジスタＴｒ２のソースが、電源線ＰＣＬと接続されており、駆動用トランジスタＴｒ２のドレインが、自発光体である有機発光ダイオードＥ１のアノードに接続されている。有機発光ダイオードＥ１のカソードは、例えば基準電位（例えばアース）に接続されている。
【００２０】
なお、図２では制御用トランジスタＴｒ１がｎチャネル型トランジスタ、駆動用トランジスタＴｒ２がｐチャネル型トランジスタの例を示しているが、それぞれのトランジスタの極性はこれに限定されない。必要に応じて、制御用トランジスタＴｒ１及び駆動用トランジスタＴｒ２それぞれの極性を決めればよい。
【００２１】
画素３１は、図３に示すように、例えば、第１副画素３２Ｒと、第２副画素３２Ｇと、第３副画素３２Ｂと、第４副画素３２Ｗとを有する。第１副画素３２Ｒは、第１原色（例えば、赤色（Ｒ）成分）を表示する。第２副画素３２Ｇは、第２原色（例えば、緑色（Ｇ）成分）を表示する。第３副画素３２Ｂは、第３原色（例えば、青色（Ｂ）成分）を表示する。第４副画素３２Ｗは、第１原色、第２原色及び第３原色とは異なる追加色成分としての第４の色（具体的には白色）を表示する。以下において、第１副画素３２Ｒと、第２副画素３２Ｇと、第３副画素３２Ｂと、第４副画素３２Ｗとをそれぞれ区別する必要がない場合、副画素３２という。
【００２２】
画像表示部３０は、基板５１と、絶縁層５２、５３と、反射層５４と、下部電極５５と、自発光層５６と、上部電極５７と、絶縁層５８と、絶縁層５９と、色変換層としてのカラーフィルタ６１Ｒ、６１Ｇ、６１Ｂ、６１Ｗと、遮光層としてのブラックマトリクス６２と、基板５０とを備えている（図４参照）。基板５１は、シリコンなどの半導体基板、ガラス基板、樹脂基板などであって、上述した点灯駆動回路などを形成又は保持している。絶縁層５２は、上述した点灯駆動回路などを保護する保護膜であり、シリコン酸化物、シリコン窒化物などを用いることができる。下部電極５５は、第１副画素３２Ｒと、第２副画素３２Ｇと、第３副画素３２Ｂと、第４副画素３２Ｗとにそれぞれ設けられており、上述した有機発光ダイオードＥ１のアノード（陽極）となる導電体である。下部電極５５は、インジウム錫酸化物（Indium  Tin  Oxide：ＩＴＯ）等の透光性導電材料（透光性導電酸化物）で形成される透光性電極である。絶縁層５３は、バンクと呼ばれ、第１副画素３２Ｒと、第２副画素３２Ｇと、第３副画素３２Ｂと、第４副画素３２Ｗとを区画する絶縁層である。反射層５４は、自発光層５６からの光を反射する金属光沢のある材料、例えば銀、アルミニウム、金などで形成されている。自発光層５６は、有機材料を含み、不図示のホール注入層、ホール輸送層、発光層、電子輸送層、電子注入層を含む。
【００２３】
＜ホール輸送層＞
正孔を発生する層としては、例えば、芳香族アミン化合物と、その化合物に対して電子受容性を示す物質とを含む層を用いることが好ましい。ここで、芳香族アミン化合物とは、アリールアミン骨格を有する物質である。芳香族アミン化合物の中でも特に、トリフェニルアミンを骨格に含み、４００以上の分子量を有するものが好ましい。また、トリフェニルアミンを骨格に有する芳香族アミン化合物の中でも特にナフチル基のような縮合芳香環を骨格に含むものが好ましい。トリフェニルアミンと縮合芳香環とを骨格に含む芳香族アミン化合物を用いることによって、発光素子の耐熱性が良くなる。芳香族アミン化合物の具体例としては、例えば、４，４’−ビス［Ｎ−（１−ナフチル）−Ｎ−フェニルアミノ］ビフェニル（略称：α−ＮＰＤ）、４，４’−ビス［Ｎ−（３−メチルフェニル）−Ｎ−フェニルアミノ］ビフェニル（略称：ＴＰＤ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−｛４−（Ｎ，Ｎ−ジ−ｍ−トリルアミノ）フェニル｝−Ｎ−フェニルアミノ］ビフェニル（略称：ＤＮＴＰＤ）、１，３，５−トリス［Ｎ，Ｎ−ジ（ｍ−トリル）アミノ］ベンゼン（略称：ｍ−ＭＴＤＡＢ）、４，４’，４’’−トリス（Ｎ−カルバゾリル）トリフェニルアミン（略称：ＴＣＴＡ）、２，３−ビス（４−ジフェニルアミノフェニル）キノキサリン（略称：ＴＰＡＱｎ）、２，２’，３，３’−テトラキス（４−ジフェニルアミノフェニル）−６，６’−ビスキノキサリン（略称：Ｄ−ＴｒｉＰｈＡＱｎ）、２，３−ビス｛４−［Ｎ−（１−ナフチル）−Ｎ−フェニルアミノ］フェニル｝−ジベンゾ［ｆ，ｈ］キノキサリン（略称：ＮＰＡＤｉＢｚＱｎ）等が挙げられる。また、芳香族アミン化合物に対して電子受容性を示す物質について特に限定はなく、例えば、モリブデン酸化物、バナジウム酸化物、７，７，８，８−テトラシアノキノジメタン（略称：ＴＣＮＱ）、２，３，５，６−テトラフルオロ−７，７，８，８−テトラシアノキノジメタン（略称：Ｆ４−ＴＣＮＱ）等を用いることができる。
【００２４】
＜電子注入層、電子輸送層＞
電子輸送性物質について特に限定はなく、例えば、トリス（８−キノリノラト）アルミニウム（略称：Ａｌｑ３）、トリス（４−メチル−８−キノリノラト）アルミニウム（略称：Ａｌｍｑ３）、ビス（１０−ヒドロキシベンゾ［ｈ］−キノリナト）ベリリウム（略称：ＢｅＢｑ２）、ビス（２−メチル−８−キノリノラト）−４−フェニルフェノラト−アルミニウム（略称：ＢＡｌｑ）、ビス［２−（２−ヒドロキシフェニル）ベンゾオキサゾラト］亜鉛（略称：Ｚｎ（ＢＯＸ）２）、ビス［２−（２−ヒドロキシフェニル）ベンゾチアゾラト］亜鉛（略称：Ｚｎ（ＢＴＺ）２）等の金属錯体の他、２−（４−ビフェニリル）−５−（４−ｔｅｒｔ−ブチルフェニル）−１，３，４−オキサジアゾール（略称：ＰＢＤ）、１，３−ビス［５−（ｐ−ｔｅｒｔ−ブチルフェニル）−１，３，４−オキサジアゾール−２−イル］ベンゼン（略称：ＯＸＤ−７）、３−（４−ｔｅｒｔ−ブチルフェニル）−４−フェニル−５−（４−ビフェニリル）−１，２，４−トリアゾール（略称：ＴＡＺ）、３−（４−ｔｅｒｔ−ブチルフェニル）−４−（４−エチルフェニル）−５−（４−ビフェニリル）−１，２，４−トリアゾール（略称：ｐ−ＥｔＴＡＺ）、バソフェナントロリン（略称：ＢＰｈｅｎ）、バソキュプロイン（略称：ＢＣＰ）等を用いることができる。また、電子輸送性物質に対して電子供与性を示す物質について特に限定はなく、例えば、リチウム、セシウム等のアルカリ金属、マグネシウム、カルシウム等のアルカリ土類金属、エルビウム、イッテルビウム等の希土類金属等を用いることができる。また、リチウム酸化物（Ｌｉ２Ｏ）、カルシウム酸化物（ＣａＯ）、ナトリウム酸化物（Ｎａ２Ｏ）、カリウム酸化物（Ｋ２Ｏ）、マグネシウム酸化物（ＭｇＯ）等、アルカリ金属酸化物およびアルカリ土類金属酸化物の中から選ばれた物質を、電子輸送性物質に対して電子供与性を示す物質として用いても構わない。
【００２５】
＜発光層＞
例えば、赤色系の発光を得たいときには、４−ジシアノメチレン−２−イソプロピル−６−［２−（１，１，７，７−テトラメチルジュロリジン−９−イル）エテニル］−４Ｈ−ピラン（略称：ＤＣＪＴＩ）、４−ジシアノメチレン−２−メチル−６−［２−（１，１，７，７−テトラメチルジュロリジン−９−イル）エテニル］−４Ｈ−ピラン（略称：ＤＣＪＴ）、４−ジシアノメチレン−２−ｔｅｒｔ−ブチル−６−［２−（１，１，７，７−テトラメチルジュロリジン−９−イル）エテニル］−４Ｈ−ピラン（略称：ＤＣＪＴＢ）やペリフランテン、２，５−ジシアノ−１，４−ビス［２−（１０−メトキシ−１，１，７，７−テトラメチルジュロリジン−９−イル）エテニル］ベンゼン等、６００ｎｍから６８０ｎｍに発光スペクトルのピークを有する発光を呈する物質を用いることができる。また緑色系の発光を得たいときは、Ｎ，Ｎ’−ジメチルキナクリドン（略称：ＤＭＱｄ）、クマリン６やクマリン５４５Ｔ、トリス（８−キノリノラト）アルミニウム（略称：Ａｌｑ３）等、５００ｎｍから５５０ｎｍに発光スペクトルのピークを有する発光を呈する物質を用いることができる。また、青色系の発光を得たいときは、９，１０−ビス（２−ナフチル）−ｔｅｒｔ−ブチルアントラセン（略称：ｔ−ＢｕＤＮＡ）、９，９’−ビアントリル、９，１０−ジフェニルアントラセン（略称：ＤＰＡ）、９，１０−ビス（２−ナフチル）アントラセン（略称：ＤＮＡ）、ビス（２−メチル−８−キノリノラト）−４−フェニルフェノラト−ガリウム（略称：ＢＧａｑ）、ビス（２−メチル−８−キノリノラト）−４−フェニルフェノラト−アルミニウム（略称：ＢＡｌｑ）等、４２０ｎｍから５００ｎｍに発光スペクトルのピークを有する発光を呈する物質を用いることができる。以上のように、蛍光を発光する物質の他、ビス［２−（３，５−ビス（トリフルオロメチル）フェニル）ピリジナト−Ｎ，Ｃ２’］イリジウム（ＩＩＩ）ピコリナート（略称：Ｉｒ（ＣＦ３ｐｐｙ）２（ｐｉｃ））、ビス［２−（４，６−ジフルオロフェニル）ピリジナト−Ｎ，Ｃ２’］イリジウム（ＩＩＩ）アセチルアセトナート（略称：ＦＩｒ（ａｃａｃ））、ビス［２−（４，６−ジフルオロフェニル）ピリジナト−Ｎ，Ｃ２’］イリジウム（ＩＩＩ）ピコリナート（ＦＩｒ（ｐｉｃ））、トリス（２−フェニルピリジナト−Ｎ，Ｃ２’）イリジウム（略称：Ｉｒ（ｐｐｙ）３）等の燐光を発光する物質も発光物質として用いることができる。
【００２６】
上部電極５７は、インジウム錫酸化物（Indium  Tin  Oxide：ＩＴＯ）等の透光性導電材料（透光性導電酸化物）で形成される透光性電極である。なお本実施形態では、透光性導電材料の例としてＩＴＯを挙げたが、これに限定されない。透光性導電材料として、インジウム亜鉛酸化物（Indium  Zinc  Oxide：ＩＺＯ）等の別の組成を有する導電材料を用いてもよい。上部電極５７は、有機発光ダイオードＥ１のカソード（陰極）になる。絶縁層５８は、上述した上部電極５７を封止する封止層であり、シリコン酸化物、シリコン窒化物などを用いることができる。絶縁層５９は、バンクにより生じる段差を抑制する平坦化層であり、シリコン酸化物、シリコン窒化物などを用いることができる。基板５０は、画像表示部３０全体を保護する透光性の基板であり、例えば、ガラス基板を用いることができる。
【００２７】
なお、図４においては、下部電極５５がアノード（陽極）、上部電極５７がカソード（陰極）の例を示しているが、これに限定されない。下部電極５５がカソード及び上部電極５７がアノードであってもよく、その場合は、下部電極５５に電気的に接続されている駆動用トランジスタＴｒ２の極性を適宜変えることも可能であり、また、キャリア注入層（ホール注入層及び電子注入層）、キャリア輸送層（ホール輸送層及び電子輸送層）、発光層の積層順を適宜変えることも可能である。
【００２８】
画像表示部３０は、カラー表示パネルであり、図４に示すように、自発光層５６の発光成分のうち、第１副画素３２Ｒと画像観察者との間に第１原色光Ｌｒを通過させる第１カラーフィルタ６１Ｒが配置されている。画像表示部３０は、同様に、自発光層５６の発光成分のうち、第２副画素３２Ｇと画像観察者との間に第２原色光Ｌｇを通過させる第２カラーフィルタ６１Ｇが配置されている。画像表示部３０は、同様に、自発光層５６の発光成分のうち、第３副画素３２Ｂと画像観察者との間に第３原色光Ｌｂを通過させる第３カラーフィルタ６１Ｂが配置されている。同様に、自発光層５６の発光成分のうち、第４副画素３２Ｗと画像観察者との間に第４原色光Ｌｗになるように調整された発光成分を通過させる第４カラーフィルタ６１Ｗが配置されている。画像表示部３０は、第１原色光Ｌｒ、第２原色光Ｌｇ及び第３原色光Ｌｂと異なる色成分を有する第４原色光Ｌｗを第４副画素３２Ｗから発光することができる。また、第４副画素３２Ｗと画像観察者との間にカラーフィルタが配置されていないようにしてもよく、画像表示部３０は、自発光層５６の発光成分がカラーフィルタなどの色変換層を介さず、第１原色光Ｌｒ、第２原色光Ｌｇ及び第３原色光Ｌｂと異なる色成分を有する第４原色光Ｌｗを第４副画素３２Ｗから発光することもできる。例えば画像表示部３０は、第４副画素３２Ｗには、色調整用の第４カラーフィルタ６１Ｗの代わりに透明な樹脂層が備えられていてもよい。このように画像表示部３０は、透明な樹脂層を設けることで、第４副画素３２Ｗに大きな段差が生じることを抑制することができる。
【００２９】
図５は、本実施形態に係る画像表示部の副画素の他の配列を示す図である。画像表示部３０は、第１副画素３２Ｒ、第２副画素３２Ｇ、第３副画素３２Ｂ及び第４副画素３２Ｗを含む副画素３２を２行２列で組み合わせた画素３１がマトリクス状に配置されている。
【００３０】
図６は、本実施形態の表示装置で再現可能なＨＳＶ色空間の概念図である。図７は、ＨＳＶ色空間の色相と彩度との関係を示す概念図である。表示装置１００は、画素３１に第４の色（白色）を出力する第４副画素３２Ｗを備えることで、図６に示すように、ＨＳＶ色空間における明度のダイナミックレンジを広げることができる。つまり、図６に示すように、第１副画素３２Ｒ、第２副画素３２Ｇ及び第３副画素３２Ｂが表示することのできる円柱形状のＨＳＶ色空間に、彩度Ｓが高くなるほど明度Ｖの最大値が低くなる略台形形状となる立体が載っている形状となる。
【００３１】
第１入力信号ＳＲＧＢ１は、赤成分（Ｒ）、緑成分（Ｇ）、青成分（Ｂ）の各階調の入力信号を第１色情報として有するため、ＨＳＶ色空間の円柱形状、つまり、図６に示すＨＳＶ色空間の円柱形状部分の情報になる。
【００３２】
そして、色相Ｈは、図７に示すように０°から３６０°で表される。０°から３６０°に向かって、赤（Ｒｅｄ）、黄色（Ｙｅｌｌｏｗ）、緑（Ｇｒｅｅｎ）、シアン（Ｃｙａｎ）、青（Ｂｌｕｅ）、マゼンダ（Ｍａｇｅｎｔａ）、赤となる。本実施形態では、角度０°を含む領域が赤となり、角度１２０°を含む領域が緑となり、角度２４０°を含む領域が青となる。
【００３３】
（実施形態１）
図８は、実施形態１に係るＨＳＶ色空間において色相変換処理を示す概念図である。図９は、実施形態１に係る変換前の元の色相と色相変化を許容する範囲と定義された色相変化量との関係を示すルックアップテーブルを説明するための説明図である。図１０は、実施形態１に係る色変換処理例を説明する模式図である。図１１は、実施形態１に係る色変換方法を説明するためのフローチャートである。図１２、図１３、図１４は、実施形態１に係る色変換処理例を説明する模式図である。
【００３４】
図８に示すように、角度０°の領域ＬＲ１００を含み、かつ角度０°以上３０°以下を含む領域ＬＲＬと、角度２４０°の領域ＬＢ１００の領域とは、色相Ｈの認識されやすい領域であるので、色相Ｈの変換量を低く設定しておいた方がよい。しかしながら、色相Ｈが、角度３０°より大きく、領域ＬＧ１００までは、緑寄りに（領域ＬＧ１００に近くなるように）色相Ｈを色相変化量ＰＲＧ分ずらすと消費電力が抑制され、発光効率が向上することが判明した。また、色相Ｈが、領域ＬＧ１００より大きく、領域ＬＢ１００までは、緑寄りに（領域ＬＧ１００に近くなるように）色相Ｈを色相変化量ＰＧＢ分ずらすと消費電力が抑制され、発光効率が向上することが判明した。さらに、色相Ｈが、領域ＬＢ１００より大きく、領域ＬＲ１００までは、赤寄りに（領域ＬＲ１００に近くなるように）色相Ｈを色相変化量ＰＲＢ分ずらすと消費電力が抑制され、発光効率が向上することが判明した。これは、緑色、赤色、青色の順に輝度が高いので、第２色情報の色相は、第１色情報の色相よりも輝度が高い色方向に変換すれば、消費電力が抑制されることになる。そこで実施形態１に係る変換処理部１０は、図９に示す色相Ｈに対する色相変化量のルックアップテーブルの情報を記憶しておき、図９に示すルックアップテーブルに基づいて、色相変化量ＰＲＧ、ＰＧＢ、ＰＲＢを演算する。
【００３５】
図１１に示すように、画像表示部３０へ供給する入力信号の色変換方法において、変換処理部１０は、入力映像信号に基づいて求められる、所定の画素３１に表示するための第１色情報を第１入力信号ＳＲＧＢ１として入力される（ステップＳ１１）。第１色情報は、必要に応じて、γ変換され、ＲＧＢ座標系の値がＨＳＶ色空間の入力値へ変換される。
【００３６】
実施形態１に係る変換処理部１０は、第１副画素３２Ｒと、第２副画素３２Ｇと、第３副画素３２Ｂと、第４副画素３２Ｗとが有する発光体の点灯量の総量が小さくなるように人間が色相変化に気づきにくい範囲で本来の色の色相Ｈを色相変化量ＰＲＧ、ＰＧＢ、ＰＲＢ分以下だけずらす色相変換ステップ（ステップＳ１２）を処理する。例えば、図９に示すルックアップテーブルによれば、赤成分と、青成分とのみの第１色情報である第１入力信号ＳＲＧＢ１（図１０参照）は、緑成分が無いため、白成分を増加させる変換をすることが難しい。そこで、実施形態１に係る変換処理部１０は、図１０に示すように第１副画素３２Ｒ及び第３副画素３２Ｂの自発光体の点灯数が低減する方向側に、第１副画素３２Ｒが有する発光体の点灯量の総量が小さくなるように人間が色相変化に気づきにくい範囲で本来の色の色相Ｈを色相変化量ＰＲＢ分以下だけずらして、第１副画素３２Ｒが有する発光体の点灯量を低減する。
【００３７】
次に、変換処理部１０は、第１色情報の輝度と、第２色情報の輝度とが変化しないように輝度調整する演算を行う輝度調整処理ステップを行う（ステップＳ１３）。そして、人間にとって、第１色情報と、第２色情報とを比較した場合、輝度の変化が小さいので、画像全体の劣化の認識が抑制される。例えば、図９に示すルックアップテーブルによれば、赤成分と、青成分とのみの第１色情報である第１入力信号ＳＲＧＢ１（図１２参照）は、緑成分が無いため、白成分を増加させる変換をすることが難しい。そこで、図１２に示すように、実施形態１に係る変換処理部１０は、第２色情報の色相が、第１色情報の色相よりも輝度が高い色方向に、人間が色相変化に気づきにくい範囲で本来の色の色相Ｈを色相変化量ＰＲＢ分以下だけずらして、第１副画素３２Ｒが有する発光体の点灯量を増加する。変換後の色相Ｈの輝度が高くなるが、輝度調整処理によって、単色成分である赤成分、緑成分及び青成分のレベルが一様に下がるため、ＲＧＢＷ信号処理ステップ（ステップＳ１４）を経ると、第３入力信号ＳＲＧＢＷは、第１副画素３２Ｒが表示する赤成分（Ｒ）の点灯量と、第３副画素３２Ｂが表示する青成分（Ｂ）の点灯量とがより低減する。
【００３８】
次に、第４副画素信号処理部２０は、第１の色、第２の色、第３の色及び第４の色で再現されるＨＳＶ色空間の再現値（第３入力信号ＳＲＧＢＷ）に変換して生成し、生成した出力信号を画像表示部３０に出力するＲＧＢＷ信号処理ステップＳ１４を行う。そして、第４副画素信号処理部２０は、第２入力信号ＳＲＧＢ２における第２色情報に基づいて、赤成分（Ｒ）、緑成分（Ｇ）、青成分（Ｂ）及び追加色成分として例えば白色（Ｗ）成分に変換した第３色情報を含む第３入力信号ＳＲＧＢＷを、画像表示部３０の駆動を制御する駆動回路４０へ出力する出力ステップ（ステップＳ１５）を処理する。
【００３９】
以上説明したように、実施形態１に係る色変換方法によれば、第２色情報が、第１色情報よりも人間が色相変化を許容する範囲で色相がずれるように色相変換する。このように、変換処理部１０は、入力映像信号に基づいて求められる、所定の画素３１に表示するための第１色情報が第１入力信号ＳＲＧＢ１として入力され、当該第１色情報の色相を、人間が色相変化を許容する範囲の色相変化量で色相をシフトした第２色情報の第２入力信号ＳＲＧＢ２を出力する。これにより、第１副画素３２Ｒと、第２副画素３２Ｇと、第３副画素３２Ｂとが有する発光体の点灯量の総量が小さくなる。
【００４０】
画像表示部３０は、第１色情報の輝度と、第２色情報の輝度とが変化しないように元の色相がシフトしているので、人間に画像劣化を認識されにくい。その結果、表示装置１００は、全体としても画質の低下（劣化）を抑制しつつ消費電力を抑制することができる。
【００４１】
また、変換処理部１０は、第１色情報の色相に応じて色相変化量を異ならせるように色相をシフトする。これにより、人間が色の違いを識別しやすい色相領域での色相変化量は小さいので、人間に画像劣化を認識されにくい。その結果、表示装置１００は、全体としても画質の低下（劣化）を抑制しつつ消費電力を抑制することができる。
【００４２】
また、変換処理部１０は、第１色情報に、白成分がないか、少ない場合でも、色相変換ステップＳ１２の後の電力削減効果が期待できる。その結果、表示装置１００は、全体としても画質の低下（劣化）を抑制しつつ消費電力を抑制することができる。また、原色に近いほど彩度の減衰量は、小さくなるので、人間に色の違いを識別されにくい。
【００４３】
本実施の形態により、自発光体を点灯する画像表示部において、消費電力を抑制できる表示装置、色変換方法を提供することができる。本実施形態の表示装置、電子機器及び色変換方法は、色相変化に気づきにくい範囲と定義された範囲内で本来の色の色相を変換して、第４副画素の点灯量が増えるようにするので、消費電力を抑制できる。
【００４４】
（変形例１）
輝度調整処理ステップ（ステップＳ１３）を行うの他の変形例として、例えば、図９に示すルックアップテーブルによれば、第１入力信号ＳＲＧＢ１（図１３参照）は、色相Ｈが、領域ＬＧ１００より大きく、領域ＬＢ１００までは、緑寄りに（領域ＬＧ１００に近くなるように）色相Ｈを色相変化量ＰＧＢ分ずらすと消費電力が抑制される。そこで、図１３に示すように、実施形態１に係る変換処理部１０は、第２色情報の色相は、第１色情報の色相よりも輝度が高い色方向に寄っている。変換処理部１０は、色相変化に気づきにくい範囲と定義された範囲内で本来の色の色相Ｈを色相変化量ＰＲＧ分以下だけずらして、第２副画素３２Ｇが有する発光体の点灯量を増加する。変換後の色相Ｈの輝度が高くなるが、輝度調整処理ステップ（ステップＳ１３）によって、単色成分である赤成分、緑成分及び青成分のレベルが一様に下がるため、ＲＧＢＷ信号処理ステップ（ステップＳ１４）を経ると、第３入力信号ＳＲＧＢＷは、第１副画素３２Ｒが表示する赤成分（Ｒ）の点灯量と、第２副画素３２Ｇが表示する緑成分（Ｇ）の点灯量とがより低減する。
【００４５】
また、第４副画素３２Ｗは、第１副画素３２Ｒが表示する赤成分（Ｒ）の点灯量と、第２副画素３２Ｇが表示する緑成分（Ｇ）の点灯量、第３副画素３２Ｂが表示する青成分（Ｂ）の点灯量で表現するよりも輝度又は追加色成分（Ｗ）を表示する電力効率が高くなるので、電力はさらに低減されることになる。
【００４６】
（変形例２）
輝度調整処理ステップを行う（ステップＳ１３）の他の変形例として、例えば、図９に示すルックアップテーブルによれば、第１入力信号ＳＲＧＢ１（図１４参照）は、色相Ｈが、領域ＬＧ１００より大きく、領域ＬＢ１００までは、緑寄りに（領域ＬＧ１００に近くなるように）色相Ｈを色相変化量ＰＧＢ分ずらすと消費電力が抑制される。そこで、図１４に示すように、実施形態１に係る変換処理部１０は、第２色情報の色相は、第１色情報の色相よりも輝度が足りなくなってしまうが、電力に置き換えた場合に低い方向に寄っている。色相変化に気づきにくい範囲と定義された範囲内で本来の色の色相Ｈを色相変化量ＰＲＧ分以下だけずらして、第２副画素３２Ｇが有する発光体の点灯量を増加する。変換後の色相Ｈの輝度が高くなるが、輝度調整処理ステップ（ステップＳ１３）によって、単色成分である赤成分及び緑成分のレベルが増加してしまうが、ＲＧＢＷ信号処理ステップ（ステップＳ１４）を経ると、赤成分、緑成分及び青成分で追加色成分として、例えば白色（Ｗ）に置き換えることで電力に置き換えた場合に低い方向に変換されることになる。その結果、第３入力信号ＳＲＧＢＷは、第１副画素３２Ｒが表示する赤成分（Ｒ）の点灯量と、第２副画素３２Ｇが表示する緑成分（Ｇ）の点灯量とがより低減する。
【００４７】
また、第４副画素３２Ｗは、第１副画素３２Ｒが表示する赤成分（Ｒ）の点灯量と、第２副画素３２Ｇが表示する緑成分（Ｇ）の点灯量、第３副画素３２Ｂが表示する青成分（Ｂ）の点灯量で表現するよりも輝度又は追加色成分として、例えば白色（Ｗ）を表示する電力効率が高くなるので、電力はさらに低減されることになる。
【００４８】
（実施形態２）
次に、表示装置１００、変換処理部１０及び第４副画素信号処理部２０が実行する処理動作について実施形態２として説明する。図１５は、本実施形態に係る色相と、彩度変化が許容される範囲として定義された所定範囲の彩度減衰量との関係を示すルックアップテーブルを説明するための説明図である。図１６は、本実施形態に係る変換前の元の彩度と彩度変化が許容される範囲として定義された所定範囲の彩度減衰量との関係を示すルックアップテーブルを説明するための説明図である。図１７は、本実施形態に係るＨＳＶ色空間において彩度減衰量を示す概念図である。図１８は、実施形態２に係る色変換処理例を説明する模式図である。図１９は、比較例に係る色変換処理例を説明する模式図である。図２０は、実施形態２に係る色変換方法を説明するためのフローチャートである。なお、上述した実施形態で説明したものと同じ構成要素には同一の符号を付して重複する説明は省略する。
【００４９】
図２０に示すように、画像表示部３０へ供給する入力信号の色変換方法において、変換処理部１０は、入力映像信号に基づいて求められる、所定の画素３１に表示するための第１色情報を第１入力信号ＳＲＧＢ１として入力される（ステップＳ２１）。第１色情報は、必要に応じて、γ変換され、ＲＧＢ座標系の値がＨＳＶ色空間の入力値へ変換される。
【００５０】
次に、図２０に示すように、変換処理部１０は、図９のルックアップテーブルの情報に基づいて、上述したステップＳ１２と同様に、色相変換ステップを処理する（ステップＳ２２）。
【００５１】
図１５に示すように、彩度変化が許容される範囲の彩度減衰量は、色相Ｈ毎に異なる。図１５に示すルックアップテーブルは、色相Ｈ毎の彩度減衰量を縦軸にゲイン値ＱＳＨが求められる第１の彩度変換情報である。図１５に示すように、色相Ｈが角度０°を含む領域である赤成分及び角度２４０°を含む領域である青成分の一方である場合、彩度変化が許容される範囲の彩度減衰量が小さいので、変換処理部１０が変化させる彩度減衰量が小さい。
【００５２】
図１６に示すように、彩度変化を許容される範囲と定義される彩度減衰量は、元の彩度Ｓ毎に異なる。図１６に示すルックアップテーブルは、変換処理部１０が変換する前の元の彩度Ｓに対して、彩度変化が認識される彩度減衰量の下限値の曲線を認識特性曲線ＱＭＳとしてプロットしている。そして、変換処理部１０は、同じ元の彩度Ｓに対して、認識特性曲線ＱＭＳよりも下回る範囲で、近似曲線ＱＳＳを第１の彩度変換情報として記憶している。近似曲線ＱＳＳは、例えば、色相Ｈのうち、赤成分の原色、緑成分の原色、青成分の原色毎の認識特性曲線ＱＭＳの全てを下回るように、例えば、元の彩度Ｓが彩度Ｓａの場合、彩度減衰量がＳｂ１となり、元の彩度Ｓが０の場合、彩度減衰量がＳｂ２となるように記憶されている。近似曲線ＱＳＳは、関数として記憶されてもよく、ルックアップテーブルとして記憶されていてもよい。また、近似曲線ＱＳＳは、認識特性曲線ＱＭＳよりも下回る範囲で、逐次演算されてもよい。
【００５３】
次に、図１７に示すように、変換処理部１０は、図１５及び図１６のルックアップテーブルの情報に基づいて、彩度減衰量ΔＳＲ、ΔＳＧ、ΔＳＢのいずれかに規制されるように、彩度減衰量のゲイン値を演算し、ＨＳＶ色空間の入力値である第１色情報に乗算することで、彩度変換ステップを処理する（ステップＳ２３）。変換処理部１０は、例えば、図１５及び図１６のルックアップテーブル同士を乗算したゲイン値を使用する。これにより、色相Ｈ毎により精度の高いゲイン値を得ることができる。又は、変換処理部１０は、例えば、図１５及び図１６のルックアップテーブル同士を加算したゲイン値を使用する。これにより、変換処理の演算負荷を軽減することができる。
【００５４】
図１８及び図１９においては、第１副画素３２Ｒ、第２副画素３２Ｇ及び第３副画素３２Ｂが表示することのできる色空間に加え、第１副画素３２Ｒ、第２副画素３２Ｇ、第３副画素３２Ｂ及び第４副画素３２Ｗで表示することのできる色空間を「＋Ｗ」の領域として表現している。例えば、図１８に示すように、第１色情報の第１入力信号ＳＲＧＢ１が、彩度変換ステップ（ステップＳ２３）により、第２色情報に変換した第２入力信号ＳＲＧＢ２に変換された場合、緑（Ｇ）の成分が多くなるように彩度減衰量ΔＳＧを演算する。これにより、単色成分である赤成分、緑成分及び青成分が揃う白成分の量が増える。そして、第４副画素信号処理部２０は、第１の色、第２の色、第３の色及び第４の色で再現されるＨＳＶ色空間の再現値（第３入力信号ＳＲＧＢＷ）に変換して生成し、生成した出力信号を画像表示部３０に出力するＲＧＢＷ信号処理ステップ（ステップＳ２５）を行う場合、第１副画素３２Ｒが表示する赤成分（Ｒ）の点灯量と、第４副画素３２Ｗが表示する追加色成分（Ｗ）、つまり白色の点灯量と、が画素３１の消費電力となる。
【００５５】
ここで、図１９に示すように、比較例に係る色変換処理例では、彩度変換ステップ（ステップＳ２３）を介さずに、ＲＧＢＷ信号処理ステップ（ステップＳ２５）を処理しているので、第１副画素３２Ｒが表示する赤成分（Ｒ）の点灯量と、第３副画素３２Ｂが表示する青成分（Ｂ）の点灯量と、第４副画素３２Ｗが表示する追加色成分（Ｗ）、つまり白色の点灯量と、が画素３１の消費電力となる。このように、比較例の処理に比べ、実施形態２に係る色変換方法は、追加色成分（Ｗ）、つまり白色の点灯量を増やすことと、単色成分を低減することを両立し、画素３１の消費電力を抑制することができる。
【００５６】
次に、図２０に示すように、変換処理部１０は、第１色情報の輝度と、第２色情報の輝度とが変化しないように彩度を低減する演算を行う輝度調整処理ステップを行う（ステップＳ２４）。例えば変換処理部１０は、図１８に示すように、上述した彩度変換ステップ（ステップＳ２３）の後、第１色情報の輝度よりも、第２色情報の輝度が大きくみえるので、第１色情報の輝度と、第２色情報の輝度とが変化しないように輝度を調整する。なお、実施形態２に係る色変換方法は、色相変換ステップ（ステップＳ２２）の後に、彩度変換ステップ（ステップＳ２３）を処理する例を説明したが、彩度変換ステップ（ステップＳ２３）の後に色相変換ステップ（ステップＳ２２）を処理してもよい。実施形態２に係る色変換方法は、色相変換ステップ（ステップＳ２２）と、彩度変換ステップ（ステップＳ２３）とを同時並行で処理してもよい。
【００５７】
図１８に示すように、輝度調整処理によって、単色成分である赤成分、緑成分及び青成分のレベルが一様に下がるため、ＲＧＢＷ信号処理ステップ（ステップＳ２５）を経ると、第３入力信号ＳＲＧＢＷは、第１副画素３２Ｒが表示する赤成分（Ｒ）の点灯量と、第４副画素３２Ｗが表示する追加色成分（Ｗ）、つまり白色の点灯量と、がより低減する。さらに、人間にとって、第１色情報と、第２色情報とを比較した場合、輝度の変化が小さいので、画像全体の劣化の認識が抑制される。
【００５８】
以上説明したように、第４副画素信号処理部２０は、第２入力信号ＳＲＧＢ２における第２色情報に基づいて、赤成分（Ｒ）、緑成分（Ｇ）、青成分（Ｂ）及び追加色成分として例えば白色（Ｗ）成分に変換した第３色情報を含む第３入力信号ＳＲＧＢＷを、画像表示部３０の駆動を制御する駆動回路４０へ出力する出力ステップ（ステップＳ２６）を処理する。
【００５９】
ところで、変換処理部１０は、第１色情報を赤成分、緑成分、青成分及び追加色成分に変換した場合の自発光体の点灯量の総量が、第２色情報を赤成分、緑成分、青成分及び追加色成分に変換した場合の自発光体の点灯量の総量よりも小さい場合、第１色情報を第２色情報として第４副画素信号処理部２０へ出力する。このように、第１色情報を、彩度変化が許容される範囲の彩度減衰量で彩度が低減された第２色情報に変換することには、第１色情報と同じ情報を第２色情報とすることも含む。これにより、彩度変換ステップ（ステップＳ２３）を処理することにより、かえって画素３１の消費電力が増加してしまう可能性を抑制する。
【００６０】
以上説明したように、変換処理部１０は、所定の画素に表示するための第１色情報が第１入力信号として入力され、当該第１色情報に応じて彩度変化が所定範囲に制限されるように定義された彩度減衰量で彩度が低減され、第２色情報に変換された第２入力信号を出力する。このため、表示装置１００は、彩度変化に気づきにくい範囲と定義された所定範囲で本来の色の彩度（元の彩度Ｓ）を減衰して、第４副画素の点灯量が増えるようにする。第１副画素３２Ｒと、第２副画素３２Ｇと、第３副画素３２Ｂと、第４副画素３２Ｗとが有する発光体の点灯量の総量が小さくなるように彩度変化に気づきにくい範囲と定義された所定範囲で本来の色の彩度（元の彩度Ｓ）を減衰しているので、消費電力を抑制できる。その結果、第１副画素３２Ｒ、第２副画素３２Ｇ及び第３副画素３２Ｂのうち未点灯の副画素３２が増えると、さらに消費電力が抑制できる。
【００６１】
画像表示部３０は、第１色情報の輝度と、第２色情報の輝度とが変化しないように元の彩度Ｓが減衰しているので、人間に画像劣化を認識されにくい。その結果、表示装置１００は、全体としても画質の低下（劣化）を抑制しつつ消費電力を抑制することができる。
【００６２】
また、変換処理部１０は、第１色情報の色相に応じて彩度減衰量を異ならせるように彩度を低減する。これにより、人間が色の違いを識別しやすい色相領域での彩度の減衰量は小さいので、人間に画像劣化を認識されにくい。その結果、表示装置１００は、全体としても画質の低下（劣化）を抑制しつつ消費電力を抑制することができる。
【００６３】
また、変換処理部１０は、第１色情報の彩度が低いほど、彩度減衰量を大きくして彩度を低減する演算を行う。これにより、人間に識別されにくい低彩度の減衰量は大きいので、彩度変換ステップ（ステップＳ２３）の後の電力削減効果が期待できる。その結果、表示装置１００は、全体としても画質の低下（劣化）を抑制しつつ消費電力を抑制することができる。また、原色に近いほど彩度の減衰量は、小さくなるので、人間に識別されにくい。
【００６４】
本実施の形態により、自発光体を点灯する画像表示部において、消費電力を抑制できる表示装置、色変換方法を提供することができる。本実施形態の表示装置、この表示装置を用いた電子機器及び色変換方法は、彩度変化に気づきにくい範囲と定義される範囲内で本来の色のもつ色相および彩度に応じて彩度を減衰して、第４副画素の点灯量が増えるようにするため、消費電力を抑制できる。
【００６５】
（変形例１）
図２１は、実施形態２の変形例１に係る色変換処理例をＸＹＺ表色系のｘｙ色度範囲上で説明するための説明図である。実施形態２では、上述したように変換処理は入力信号（例えばＲＧＢ）をＨＳＶ空間に変換した処理について例示して説明しているが、図２１に示すように、ＸＹＺ表色系のｘｙ色度範囲上において説明することもできる。図２１に示すＸＹＺ表色系のｘｙ色度範囲には、画像表示部３０の基準色域と、画像表示部３０の白を示す白点ＷＰとが示されている。
【００６６】
図２０に示す画像表示部３０へ供給する入力信号の色変換方法において、変換処理部１０は、入力映像信号に基づいて求められる、所定の画素に表示するための第１色情報を第１入力信号ＳＲＧＢ１として入力される（ステップＳ２１）。第１色情報は、例えば図２０に示す色情報Ｐ１１、色情報Ｐ２１又は色情報Ｐ３１である。
【００６７】
次に、図２１に示すように、変換処理部１０は、図９のルックアップテーブルの情報に基づいて、上述したステップＳ１２と同様に、色相変換ステップを処理する（ステップＳ２２）。
【００６８】
変換処理部１０は、色情報Ｐ１１、色情報Ｐ２１又は色情報Ｐ３１のそれぞれに応じて彩度変化が所定範囲に制限されるように定義されたルックアップテーブルの情報に基づいて、彩度減衰量ΔＳＲ１、ΔＳＧ１、ΔＳＢ１に規制される所定範囲内で、色情報Ｐ１１、色情報Ｐ２１又は色情報Ｐ３１のそれぞれから特定される変換目標としての白点ＷＰへの方位及び距離の変換情報ＡＲ１、変換情報ＡＲ２又は変換情報ＡＲ３を演算する。
【００６９】
ルックアップテーブルは、色情報Ｐ１１、色情報Ｐ２１又は色情報Ｐ３１等に例示されるそれぞれ表示色座標によって異なり、画像表示部３０の基準色域と、画像表示部３０の白点ＷＰによっても異なる。例えば、画像表示部３０は、第１副画素３２Ｒと、第２副画素３２Ｇと、第３副画素３２Ｂと、第４副画素３２Ｗとが全体に占めるそれぞれの比率、各副画素の発色などにより、影響を受けるためである。
【００７０】
変換処理部１０は、変換情報ＡＲ１、変換情報ＡＲ２又は変換情報ＡＲ３に基づいて、色情報Ｐ１１、色情報Ｐ２１又は色情報Ｐ３１のそれぞれを、第２色情報として色情報Ｐ１２、色情報Ｐ２２又は色情報Ｐ３２に、彩度変換する彩度変換ステップ（ステップＳ２３）を行う。色情報Ｐ１１、色情報Ｐ２１又は色情報Ｐ３１は、第２色情報としての色情報Ｐ１２、色情報Ｐ２２又は色情報Ｐ３２と比較して有彩色であり、色情報Ｐ１２、色情報Ｐ２２又は色情報Ｐ３２に変換されることにより、無彩色寄りに変換される。
【００７１】
次に、図２０に示すように、変換処理部１０は、第１色情報の輝度と、第２色情報の輝度とが変化しないように彩度を低減する演算を行う輝度調整処理ステップを行う（ステップＳ２４）。輝度調整処理ステップ（ステップＳ２４）によって、単色成分である赤成分、緑成分及び青成分のレベルが一様に下がるため、ＲＧＢＷ信号処理ステップ（ステップＳ２５）を経ると、第３入力信号ＳＲＧＢＷは、第１副画素３２Ｒが表示する赤成分（Ｒ）の点灯量と、第４副画素３２Ｗが表示する追加色成分、例えば白（Ｗ）色の点灯量と、がより低減する。
【００７２】
そして、第４副画素信号処理部２０は、第２入力信号ＳＲＧＢ２における第２色情報に基づいて、赤成分（Ｒ）、緑成分（Ｇ）、青成分（Ｂ）及び追加色成分として例えば白色（Ｗ）成分に変換した第３色情報を含む第３入力信号ＳＲＧＢＷを、画像表示部３０の駆動を制御する駆動回路４０へ出力する出力ステップ（ステップＳ２６）を処理する。
【００７３】
なお、色情報Ｐ１１、色情報Ｐ２１又は色情報Ｐ３１のそれぞれから特定される変換目標は、白点ＷＰに限られない。図２２は、実施形態２２の変形例１に係る色変換処理例の他の例をＸＹＺ表色系のｘｙ色度範囲上で説明するための説明図である。第４副画素３２Ｗが点灯して表現される目標白点ＷＰＴが画像表示部３０の白を示す白点ＷＰと異なる場合、色情報Ｐ１１、色情報Ｐ２１又は色情報Ｐ３１のそれぞれから特定される変換目標は、目標白点ＷＰＴとする方がより第４副画素３２Ｗの発光効率が高い場合がある。この場合、変換処理部１０は、色情報Ｐ１１、色情報Ｐ２１又は色情報Ｐ３１のそれぞれに応じて彩度変化が所定範囲に制限されるように定義されたルックアップテーブルの情報に基づいて、彩度減衰量ΔＳＲ２、ΔＳＧ２、ΔＳＢ２に規制される所定範囲内で、色情報Ｐ１１、色情報Ｐ２１又は色情報Ｐ３１のそれぞれから特定される変換目標としての目標白点ＷＰＴへの方位及び距離の変換情報ＡＲ１１、変換情報ＡＲ２１又は変換情報ＡＲ３１を演算する。変換処理部１０は、変換情報ＡＲ１１、変換情報ＡＲ２１又は変換情報ＡＲ３１に基づいて、色情報Ｐ１１、色情報Ｐ２１又は色情報Ｐ３１のそれぞれを、第２色情報として色情報Ｐ１３、色情報Ｐ２３又は色情報Ｐ３３に、彩度変換する彩度変換ステップ（ステップＳ２３）を行う。次に、図２０に示すように、変換処理部１０は、第１色情報の輝度と、第２色情報の輝度とが変化しないように彩度を低減する演算を行う輝度調整処理ステップを行う（ステップＳ２４）。輝度調整処理ステップ（ステップＳ２４）によって、単色成分である赤成分、緑成分及び青成分のレベルが一様に下がるため、ＲＧＢＷ信号処理ステップ（ステップＳ２５）を経ると、第３入力信号ＳＲＧＢＷは、第１副画素３２Ｒが表示する赤成分（Ｒ）の点灯量と、第４副画素３２Ｗが表示する追加色成分として例えば白色（Ｗ）の点灯量と、がより低減する。
【００７４】
そして、第４副画素信号処理部２０は、第２入力信号ＳＲＧＢ２における第２色情報に基づいて、赤成分（Ｒ）、緑成分（Ｇ）、青成分（Ｂ）及び追加色成分として例えば白色（Ｗ）成分に変換した第３色情報を含む第３入力信号ＳＲＧＢＷを、画像表示部３０の駆動を制御する駆動回路４０へ出力する出力ステップ（ステップＳ２６）を処理する。
【００７５】
ここで、第１色情報として色情報が白点ＷＰと目標白点ＷＰＴとの間にある場合、第１色情報を赤成分、緑成分、青成分及び追加色成分に変換した場合の自発光体の点灯量の総量が、第２色情報を赤成分、緑成分、青成分及び追加色成分に変換した場合の自発光体の点灯量の総量又は電力に換算した値よりも小さくなる場合がある。あるいは、第１色情報として色情報が第２色情報として、色相及び彩度の少なくとも１つが異なる色座標に変更される場合、第１色情報を赤成分、緑成分、青成分及び追加色成分に変換した場合の自発光体の点灯量の総量が、第２色情報を赤成分、緑成分、青成分及び追加色成分に変換した場合の自発光体の点灯量の総量又は電力に換算した値よりも小さくなる場合がある。変換処理部１０は、第１色情報を赤成分、緑成分、青成分及び追加色成分に変換した場合の自発光体の点灯量の総量が、第２色情報を赤成分、緑成分、青成分及び追加色成分に変換した場合の自発光体の点灯量の総量又は電力に換算した値よりも小さくなる場合、第１色情報を第２色情報として第４副画素信号処理部２０へ出力する。このように、第１色情報を、彩度変化が許容される範囲の彩度減衰量で彩度が低減された第２色情報に変換することには、第１色情報と同じ情報を第２色情報とすることも含む。これにより、彩度変換ステップ（ステップＳ２３）を処理することにより、かえって画素３１の消費電力が増加してしまう可能性を抑制する。
【００７６】
なお、目標白点ＷＰＴは、第４副画素３２Ｗが点灯して表現される色に限られない。目標白点ＷＰＴは、第１副画素３２Ｒ、第２副画素３２Ｇ、第３副画素３２Ｂ及び第４副画素３２Ｗを全点灯した場合に表現される色であってもよく、第１副画素３２Ｒ、第２副画素３２Ｇ、第３副画素３２Ｂを全点灯した場合に表現される色であってもよい。
【００７７】
（実施形態３）
図２３は、実施形態３に係る色変換方法を説明するためのフローチャートである。なお、上述した実施形態で説明したものと同じ構成要素には同一の符号を付して重複する説明は省略する。
【００７８】
画像全体の色相の偏りがある画像等が入力映像信号として入力される場合、上述した実施形態１及び実施形態２に係る画像表示部へ供給する入力信号の色変換方法によれば、例えば緑成分の色相が増加しすぎると、全体的な画質劣化を生じる可能性がある。
【００７９】
そこで、図２３に示すように、実施形態３に係る画像表示部へ供給する入力信号の色変換方法において、変換処理部１０は、入力映像信号に基づいて求められる、所定の画素に表示するための第１色情報を第１入力信号ＳＲＧＢ１として入力される（ステップＳ４１）。第１色情報は、必要に応じて、γ変換され、ＲＧＢ座標系の値がＨＳＶ色空間の入力値へ変換される。
【００８０】
次に、変換処理部１０は、画像解析ステップＳ４２において、入力映像信号の画像解析を行う。又は、変換処理部１０は、画像解析ステップＳ４２において、他の処理で演算した入力映像信号の画像解析情報を入手する。入力映像信号の画像解析の結果、画像全体の色相の偏りがあり、偏りが所定の閾値を超えない場合（ステップＳ４３、Ｎｏ）、変換処理部１０は、処理をステップＳ４５へ進める。ステップＳ４５からステップＳ４８の処理は、実施形態１のステップＳ１２からステップＳ１５の処理と同じであるので説明を省略する。
【００８１】
入力映像信号の画像解析の結果、画像全体の色相の偏りがあり、偏りが所定の閾値を超える場合（ステップＳ４３、Ｙｅｓ）、変換処理部１０は、処理をステップＳ４４へ進める。
【００８２】
変換処理部１０は、画像全体の色相の平均色度の重心を求める。そして、変換処理部１０は、平均色度の重心のずれ量に基づいて色相変換時の補正量を演算し、記憶する（ステップＳ４４）。次に、図２３に示すように、変換処理部１０は、図９のルックアップテーブルの情報に基づく色変換量をステップＳ４４で求めた補正量で減じた、色相変換量のゲイン値を演算し、ＨＳＶ色空間の入力値である第１色情報に乗算することで、色相変換ステップを処理する（ステップＳ４５）。
【００８３】
以上説明したように、実施形態３に係る、変換処理部１０は、入力映像信号を画像解析して全画素に表示するための第１色情報に色相の偏りがある場合、所定の画素に表示するための第１色情報に色相の偏りの重心に基づく補正量を加えてから第２色情報に変換する。これにより、画像全体の色相の偏りがある場合には、色相変化量は小さくなり、人間には画像の劣化を認識されにくくなる。
【００８４】
本実施の形態により、自発光体を点灯する画像表示部において、消費電力を抑制できる表示装置、色変換方法を提供することができる。
【００８５】
＜適用例＞
次に、図２４乃至図３２を参照して、実施形態１から３及びこれらの変形例で説明した表示装置１００の適用例について説明する。以下、実施形態１から３及びこれらの変形例を本実施形態として説明する。図２４乃至図３２は、本実施形態に係る表示装置を適用する電子機器の一例を示す図である。本実施形態に係る表示装置１００は、携帯電話、スマートフォン等の携帯端末装置、テレビジョン装置、デジタルカメラ、ノート型パーソナルコンピュータ、ビデオカメラ、或いは、車両に設けられるメータ類などのあらゆる分野の電子機器に適用することが可能である。言い換えると、本実施形態に係る表示装置１００は、外部から入力された映像信号或いは内部で生成した映像信号を、画像或いは映像として表示するあらゆる分野の電子機器に適用することが可能である。電子機器は、表示装置１００に映像信号を供給し、表示装置１００の動作を制御する制御装置を備える。
【００８６】
（適用例１）
図２４に示す電子機器は、本実施形態に係る表示装置１００が適用されるテレビジョン装置である。このテレビジョン装置は、例えば、フロントパネル５１１及びフィルターガラス５１２を含む映像表示画面部５１０を有しており、この映像表示画面部５１０は、本実施形態に係る表示装置１００である。
【００８７】
（適用例２）
図２５及び図２６に示す電子機器は、本実施形態に係る表示装置１００が適用されるデジタルカメラである。このデジタルカメラは、例えば、フラッシュ用の発光部５２１、表示部５２２、メニュースイッチ５２３及びシャッターボタン５２４を有しており、その表示部５２２は、本実施形態に係る表示装置１００である。図２５に示すように、このデジタルカメラは、レンズカバー５２５を有しており、レンズカバー５２５をスライドさせることで撮影レンズが現れる。デジタルカメラは、その撮影レンズから入射する光を撮像することで、デジタル写真を撮影することができる。
【００８８】
（適用例３）
図２７に示す電子機器は、本実施形態に係る表示装置１００が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、本実施形態に係る表示装置１００である。
【００８９】
（適用例４）
図２８に示す電子機器は、本実施形態に係る表示装置１００が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、本実施形態に係る表示装置１００である。
【００９０】
（適用例５）
図２９及び図３０に示す電子機器は、表示装置１００が適用される携帯電話機である。図２９は携帯電話機を開いた状態での正面図である。図３０は携帯電話機を折りたたんだ状態での正面図である。当該携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。当該ディスプレイ５５４は、表示装置１００が取り付けられている。このため、当該携帯電話機のディスプレイ５５４は、画像を表示する機能の他に、タッチ動作を検出する機能を有していてもよい。
【００９１】
（適用例６）
図３１に示す電子機器は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末である。この情報携帯端末は、例えば筐体５６１の表面に表示部５６２を有している。この表示部５６２は、本実施形態に係る表示装置１００である。
【００９２】
（適用例７）
図３２に示す電子機器は、車両に搭載されるメータユニットである。図３２に示すメータユニット（電子機器）５７０は、燃料計、水温計、スピードメータ、タコメータ等、複数の上述した本実施形態に係る表示装置１００を表示装置５７１として備えている。そして、複数の表示装置５７１は、ともに、一枚の外装パネル５７２に覆われている。
【００９３】
図３２に示す表示装置５７１それぞれは、表示手段としてのパネル５７３及びアナログ表示手段としてのムーブメント機構を互いに組み合わせた構成となっている。当該ムーブメント機構は、駆動手段としてのモータと、モータにより回転される指針５７４とを有している。そして、図３２に示すように、表示装置５７１では、パネル５７３の表示面に目盛表示、警告表示等を表示することができるとともに、ムーブメント機構の指針５７４がパネル５７３の表示面側において回転することが可能となっている。
【００９４】
なお図３２では、一枚の外装パネル５７２に複数の表示装置５７１を設けた構成としたが、これに限定されない。外装パネル５７２によって囲まれた領域に１つの表示装置５７１を設け、当該表示装置に燃料計、水温計、スピードメータ、タコメータ等を表示させてもよい。
【００９５】
本適用例により、自発光体を点灯する画像表示部において、消費電力を抑制できる色変換方法を提供することができる。
【００９６】
以上、実施形態について説明したが、上述した内容により本発明が限定されるものではない。また、上述した本発明の構成要素には、当業者が容易に想定できるもの、実質的に同一のもの、いわゆる均等の範囲のものが含まれる。さらに、上述した構成要素は適宜組み合わせることが可能である。また、本発明の要旨を逸脱しない範囲で構成要素の種々の省略、置換及び変更を行うことができる。
【００９７】
また、本態様は、以下の構成をとることもできる。
（１）
赤成分を自発光体の点灯量に応じて表示するための第１副画素と、
緑成分を自発光体の点灯量に応じて表示するための第２副画素と、
青成分を自発光体の点灯量に応じて表示するための第３副画素と、
を含む画素を複数有する画像表示部と、
入力映像信号に基づいて求められる、所定の画素に表示するための第１色情報が第１入力信号として入力され、当該第１色情報の色相を、色相変化が所定範囲に制限されるように定義された範囲の色相変化量で色相を変化させた第２色情報の第２入力信号として出力する変換処理部と、
を含む表示装置。
（２）
前記画像表示部は、前記第１副画素、前記第２副画素及び前記第３副画素とは異なる追加色成分を前記第１副画素、前記第２副画素及び前記第３副画素で表現するよりも輝度又は前記追加色成分を表示する電力効率が高く、前記追加色成分を自発光体の点灯量に応じて表示する第４副画素、をさらに含み、
前記第２入力信号における第２色情報に基づいて、前記赤成分、前記緑成分、前記青成分及び前記追加色成分に変換した第３色情報を含む第３入力信号を、前記画像表示部の駆動を制御する駆動回路へ出力する第４副画素信号処理部、を含む、上記（１）に記載の表示装置。
（３）
前記第２色情報の色相は、前記第１色情報の色相よりも輝度が高い色方向又は電力に置き換えた場合に低い方向に寄っている、（１）又は（２）に記載の表示装置。
（４）
前記変換処理部は、前記第１色情報の輝度と、前記第２色情報の輝度とが変化しないように色相を変化する演算を行う、（３）に記載の表示装置。
（５）
前記第２色情報の色相は、前記第１色情報の色相よりも白成分が多い色方向に寄っている、（１）乃至（４）のいずれか１つに記載の表示装置。
（６）
前記第２色情報の色相は、前記第１色情報の色相よりも、前記第１副画素、前記第２副画素及び前記第３副画素の自発光体の点灯数が低減する方向側に前記第１副画素、前記第２副画素及び前記第３副画素の少なくとも１つの自発光体の点灯量が低減するように変換されている、（１）乃至（５）のいずれか１つに記載の表示装置。
（７）
前記第２色情報の色相は、前記第１色情報の色相よりも、前記第１副画素、前記第２副画素及び前記第３副画素の自発光体の点灯量を加算した総量が低減する方向に寄っている、（６）に記載の表示装置。
（８）
前記変換処理部は、前記第１色情報を前記赤成分、前記緑成分、前記青成分及び前記追加色成分に変換した場合の自発光体の点灯量の総量が、前記第２色情報を前記赤成分、前記緑成分、前記青成分及び前記追加色成分に変換した場合の自発光体の点灯量の総量よりも小さい場合、前記第１色情報を前記第２色情報として前記第４副画素信号処理部へ出力する、（２）又は（３）に記載の表示装置。
（９）
前記変換処理部は、前記第２色情報の色相に応じて彩度減衰量を異ならせるように彩度を低減する演算を行う、（１）乃至（４）のいずれか１つに記載の表示装置。
（１０）
前記入力映像信号を画像解析して全画素に表示するための第１色情報に色相の偏りがある場合、所定の画素に表示するための第１色情報に前記色相の偏りの重心に基づく補正量を加えてから前記第２色情報に変換する、（１）乃至（９）のいずれか１つに記載の表示装置。
（１１）
前記第１副画素、前記第２副画素、前記第３副画素及び前記第４副画素を点灯する自発光体が点灯する色成分は、前記追加色成分を主成分とし、前記第１副画素、前記第２副画素及び前記第３副画素のそれぞれは、前記追加色成分を前記赤成分、前記緑成分、前記青成分へ変換するための色変換層を有している、（１）乃至（１０）のいずれか１つに記載の表示装置。
（１２）
赤成分を自発光体の点灯量に応じて表示するための第１副画素と、
緑成分を自発光体の点灯量に応じて表示するための第２副画素と、
青成分を自発光体の点灯量に応じて表示するための第３副画素と、
を含む画素を複数有する画像表示部の駆動回路へ信号を供給する入力信号変換処理方法であって、
入力映像信号に基づいて求められる、所定の画素に表示するための第１色情報が第１入力信号として入力され、当該第１色情報の色相を、色相変化が所定範囲に制限されるように定義された範囲の色相変化量で色相を変化させた第２色情報の第２入力信号として出力する色変換処理ステップを含む、色変換方法。
【符号の説明】
【００９８】
１０  変換処理部
２０  第４副画素信号処理部
３０  画像表示部（画像表示パネル）
３１  画素
３２  副画素
３２Ｒ  第１副画素
３２Ｇ  第２副画素
３２Ｂ  第３副画素
３２Ｗ  第４副画素
４０  画像表示パネル駆動回路
４１  信号出力回路
４２  走査回路
４３  電源回路
１００  表示装置
【図１】
2015109639.tif 000003
【図２】
2015109639.tif 000004
【図３】
2015109639.tif 000005
【図４】
2015109639.tif 000006
【図５】
2015109639.tif 000007
【図６】
2015109639.tif 000008
【図７】
2015109639.tif 000009
【図８】
2015109639.tif 000010
【図９】
2015109639.tif 000011
【図１０】
2015109639.tif 000012
【図１１】
2015109639.tif 000013
【図１２】
2015109639.tif 000014
【図１３】
2015109639.tif 000015
【図１４】
2015109639.tif 000016
【図１５】
2015109639.tif 000017
【図１６】
2015109639.tif 000018
【図１７】
2015109639.tif 000019
【図１８】
2015109639.tif 000020
【図１９】
2015109639.tif 000021
【図２０】
2015109639.tif 000022
【図２１】
2015109639.tif 000023
【図２２】
2015109639.tif 000024
【図２３】
2015109639.tif 000025
【図２４】
2015109639.tif 000026
【図２５】
2015109639.tif 000027
【図２６】
2015109639.tif 000028
【図２７】
2015109639.tif 000029
【図２８】
2015109639.tif 000030
【図２９】
2015109639.tif 000031
【図３０】
2015109639.tif 000032
【図３１】
2015109639.tif 000033
【図３２】
2015109639.tif 000034